(57)【要約】【課題】極性反転がない回線に接続されてもリンギング着信ができるようにすること。【解決手段】リンギング呼出信号の鳴動信号の回数や時間が設定されている着信条件設定部２７と、この着信条件設定部２７と比較して設定条件が成立したかどうかを並行して判定するリンギング着信判定部３７とを備え、このリンギング着信判定部３７によって、極性反転検出部１０の出力やＮＲ着信検出部１１の出力やＮＲ着信判定部１２での判定の影響を受けず、リンギング検出部１６で検出されたリンギング呼出信号の１６Ｈｚ鳴動信号を監視すると共に、着信条件設定部２７と比較して設定条件が成立したかどうかを、ＮＲ着信の判定と並行して判定するようにしている。【選択図】  図１
2004159131.tif 000002
【特許請求の範囲】
【請求項１】
回線の極性反転を検出し遅延させて出力する極性反転検出部と、前記極性反転検出部で極性反転を検出すると回線から送出されるノーリンギング呼出信号を検出するＮＲ着信検出部と、前記ＮＲ着信検出部で検出したノーリンギング呼出信号が自端末の呼出信号かどうかを判定するＮＲ着信判定部と、前記ＮＲ着信判定部で自端末の呼出信号と判定した場合に回線へ着信応答信号を出力するＮＲ着信応答部と、回線から送出されるリンギング呼出信号の鳴動信号を検出するリンギング検出部と、リンギング着信時の応答条件としてリンギング呼出信号の鳴動信号の回数や時間が設定されている着信条件設定部と、前記極性反転検出部の出力や前記ＮＲ着信検出部の出力及びＮＲ着信判定部での判定には影響を受けずに、前記リンギング検出部で検出されたリンギング呼出信号の鳴動信号を監視し、前記着信条件設定部と比較して設定条件が成立したかどうかを並行して判定するリンギング着信判定部と、前記リンギング着信判定部で設定条件が成立したと判定されると着信応答信号を回線側に送出するリンギング着信応答部とを備えた回線端末装置。
【請求項２】
リンギング着信判定部は、通信終了から所定時間内に発生した鳴動信号を無効とする請求項１記載の回線端末装置。
【請求項３】
リンギング着信判定部は、鳴動信号の停止から所定時間に鳴動信号が来ないことを確認してからリンギング着信の判定処理を終了する請求項１記載の回線端末装置。
【請求項４】
リンギング着信判定部は、所定条件に満たないリンギング検出部の信号は無効にする請求項１記載の回線端末装置。
【請求項５】
極性反転検出部の出力遅延時間とノーリンギング着信判定時間よりも遅延させて、リンギング着信判定部の判定結果を出力する遅延出力部を備えた請求項１記載の回線端末装置。
【発明の詳細な説明】
【０００１】
【発明の属する技術分野】
本発明は回線端末装置に関し、更に詳しくは公衆回線網を利用したノーリンギング通信やリンギング通信により、ホームセキュリティ盤やガス遮断装置等のデータ端末装置の情報を収集する回線端末装置に関する。
【０００２】
【従来の技術】
従来この種の回線端末装置は、図４に示すようにデータ端末装置２の情報を公衆回線３と交換局４を介して中央監視装置５で収集する装置である。ここで、データ端末装置２はマイクロコンピュータ内蔵の通信機能付き装置で、ガス需要家宅に取り付けられたガスメータに内蔵され、ガスの使用状態を電文で読み出せるようになっている。８は端末インターフェース部でデータ端末装置２との間で電文の送受信を行う。９は中央制御部で回線端末装置１の受信した電文の解析や全体の制御を行う。またガス需要家宅の電話機６はこの回線端末装置１を介して公衆回線３に接続されている。
【０００３】
そして極性反転検出部１０は電話機６のオフフックやオンフック、電話機６のダイヤルパルス送出による回線電圧変化、あるいは電話機鳴動信号の１６ＨＺでの極性反転による誤動作防止のため、公衆回線３の回線電圧が反転を完了した後にさらに遅延させて検出状態を出力するようにしている。そのためリンギング着信時、最初に極性反転が発生すると、リンギング検出部１６が一瞬リンギング信号検出状態になるが、それよりも遅れて、極性反転検出部１０が極性反転を出力する構成になっている。
【０００４】
次に回線端末装置１の通信動作について図４を用いて説明する。まずリンギング通信をする場合は、着信設定回数部７に対してあらかじめリンギング着信応答する条件として、１６ＨＺ鳴動信号の発生回数を設定をしておく。リンギング通信は中央監視装置５からの発信よって開始され、発信を受けた交換局４では回線端末装置１が接続されている公衆回線３に対して極性反転に続いて３秒周期で１秒間１６ＨＺの鳴動信号を重畳させたリンギング呼出信号を送出する。この１６ＨＺ鳴動信号により電話機６が鳴動する。
【０００５】
その時の極性反転とリンギング呼出信号到来時の信号波形図を図５に示す。リンギング検出部１６の出力は最初の極性反転時の回線電圧の反転により一瞬リンギング信号検出状態を出力し、その後１６ＨＺ鳴動信号が到来している間はリンギング信号検出状態を出力する。一方、極性反転検出部１０の出力は公衆回線３の回線電圧反転から遅延して出力される。
【０００６】
このような回線端末装置１では、リンギング着信判定部１７にリンギング着信可能な設定がされた状態で、ノーリンギング通信を行った場合、交換局４からの極性反転が発生すると、極性反転検出部１０の出力より、リンギング検出部１６の出力の方が早く信号を出力するので、中央制御部９はリンギング着信判定部１７での判定動作を優先して実施しさせる。するとノーリンギング着信時に極性反転が発生すると、リンギング着信判定部１７で一定時間（リンギング呼出信号の休止時間２秒に相当）は、リンギング着信の条件判定を行う。このリンギング着信判定をしている２秒間に、交換局４はノーリンギング呼出信号の送出を終了するため、中央制御部９ではＮＲ着信判定部１２によるノーリンギング着信の判定をさせることができない。
【０００７】
従ってノーリンギング通信を可能にするためには、着信回数設定部７をリンギング着信しないように設定しておかなかればならなかった。この問題を解決するために図６で示されるような別の回線端末装置が考案された（特許文献１参照）。
【０００８】
１９はリンギング信号出力許可部で、極性反転検出部１０で極性反転検出後、ＮＲ着信検出部１１で自端末及び自端末以外も含めノーリンギング呼出信号が検出されなかったとＮＲ着信判定部１２が判定した場合のみ、中央制御部２０の制御により、リンギング着信判定が終了するまでリンギング検出部１６からの信号をリンギング着信判定部１７に伝える。
【０００９】
続いて、この回線端末装置２１について動作説明をする。着信回数設定部７にはあらかじめリンギング着信応答条件が設定されているとする。まずリンギング通信について説明すると、リンギング通信は中央監視装置５からの発信よって開始されると、回線端末装置２１のリンギング検出部１６の出力は、前述の従来例と同じく図５に示されるようになる。しかしながらこの極性反転発生時点ではリンギング信号出力許可部１９はリンギング検出部１６の出力をリンギング着信判定部１７に伝えないようにしており、中央制御部２０はリンギング着信の判定待ちに入らないので、遅延して出力される極性反転検出部１０の極性反転の検出処理を行う。極性反転を検出した中央制御部２０は交換局４からのノーリンギングの呼出信号であるＮＲＳ選択信号をＮＲ着信検出部１１で検出できるように網制御部１４をハイインピーダンスの状態のままとしてノーリンギング着信の判定に入る。ＮＲ着信検出部１１ではノーリンギング呼出信号は検出されないので、ＮＲ着信判定部１２は０．３５秒後にノーリンギング呼出信号未検出の判定をして、その結果を中央制御部２０へ知らせる。判定結果を受けた中央制御部２０はノーリンギング着信判定を終了する。
【００１０】
この後、中央制御部２０はリンギング信号出力許可部１９を、リンギング着信判定が終了するまでリンギング検出部１６からの信号をリンギング着信判定部１７に伝える状態にする。従って、交換局４から極性反転に続いて送出される１６ＨＺ鳴動信号をリンギング検出部１６が検出するとリンギング着信判定部１７は着信発生回数をカウントをアップして、着信回数設定部７で設定された着信応答条件に達したかどうかを判定することができる。
【００１１】
次に、着信設定回数部７には上述のリンギング通信時と同じ着信応答条件を設定した状態でのノーリンギング通信時の動作を説明する。中央監視装置５からの発信よってノーリンギング通信を開始すると、回線端末装置２１に極性反転が発生する。この極性反転により回線端末装置２１のリンギング検出部１６では一瞬リンギング信号検出状態になるが、リンギング信号出力許可部１９で、リンギング検出部１６からの信号をリンギング着信判定部１７に伝えないようにしているため、中央制御部２０はリンギング着信の判定結果待ちに入らず、リンギング検出部１６の出力より遅れてくる極性反転検出部１０の出力を検出できる。
【００１２】
従って、中央制御部２０は極性反転検出部１０の出力を即検出することができ、交換局４からのノーリンギングの呼出信号であるＮＲＳ選択信号をＮＲ着信検出部１１で検出できるように網制御部１４をハイインピーダンスの状態のままにしておき監視に入る。交換局４から送出されたノーリンギング呼出信号がＮＲ着信検出部１１で検出されると、ＮＲ着信判定部１２ではあらかじめ設定されている自端末呼出信号データと一致するかどうかを判定し、その結果を中央制御部２０へ知らせる。自端末呼出信号データと一致した場合、中央制御部２０は網制御部１４を半閉結状態にして公衆回線３及び交換局４と直流ループを形成し、ノーリンギング着信に応答したことをＮＲ着信応答部１３から交換局４へＤＴＭＦ信号の＃を送出して知らせることで通信を開始する。
【００１３】
【特許文献１】
特開２００２−１２５０６０号公報
【００１４】
【発明が解決しようとする課題】
しかしながら、上記のような構成では、リンギング信号出力許可部１９は、極性反転検出部１０で極性反転検出後に、ＮＲ着信検出部１１でノーリンギング呼出信号が検出されなかったとＮＲ着信判定部１２が判定してからでないと、中央制御部２０の制御により、リンギング検出部１６からの信号をリンギング着信判定部１７に伝える状態にならない。つまり極性反転が発生しないとリンギング着信できかった。
【００１５】
そのため、回線端末装置が接続される回線がアナログ公衆回線の場合は呼び出しが行われる前に必ず極性反転が発生するので問題はないが、ＩＳＤＮ回線の場合は設置されたターミナルアダプタのアナログポートに接続されることになるので、極性反転が発生しないターミナルアダプタに接続されるとリンギング着信ができないという課題を有していた。
【００１６】
【課題を解決するための手段】
前記従来の課題を解決するために、本発明の回線端末装置は、リンギング着信判定部を極性反転検出部の出力やＮＲ着信検出部の出力やＮＲ着信判定部での判定には影響を受けずに、リンギング検出部で検出されたリンギング呼出信号の鳴動信号を監視し、着信条件設定部と比較して設定条件が成立したかどうかを並行して判定するようにしたものである。
【００１７】
これによって、呼出開始時に極性反転が発生しないで鳴動信号が発生する回線に接続された場合でも、リンギング着信時には最初に鳴動信号が発生すると、リンギング検出部でこの信号が検出され、リンギング着信判定部が判定を開始することができる。この時、極性反転は発生しないので、ＮＲ着信判定部は監視状態にならない。
【００１８】
また呼出開始時に極性反転が発生が発生する回線に接続された場合では、リンギング着信時に極性反転が発生すると、まずリンギング検出部でこの極性反転信号も検出され、リンギング着信判定部が判定を開始する。そして極性反転検出部でも極性反転を検出するので、遅れてＮＲ着信判定部は監視状態に入るがノーリンギング呼出信号が来ないので、ノーリンギング着信は不成立と判断されるが、鳴動信号は発生するのでリンギング着信の判定が続けられ、条件が成立するとリンギング通信の処理に移行する。
【００１９】
一方、ノーリンギング着信時には最初に緩極性反転が発生するが、極性反転検出部の出力より早くリンギング検出部は回線電圧反転に同期して検出信号を一時的に出力する。そのためリンギング信号の検出によりリンギング着信判定部で先にリンギング着信判定を行うことになる。その後遅れて、極性反転の検出信号が極性反転検出部からＮＲ着信判定部に入力されると、ＮＲ着信判定部でも判定を並行して開始する。緩極性反転後にノーリンギング呼出信号が到来するとＮＲ着信判定部ではノーリンギング着信判定が成立し、リンギング着信判定部ではリンギング着信判定が不成立となるので、回線端末装置はノーリンギング通信の処理へ移行することができる。従って、特に回線端末装置の設定を変更することなく、極性反転が発生しない回線でも極性反転が発生する回線に接続してもリンギング着信ができるし、またリンギング着信ができる設定状態でノーリンギング着信もできる。
【００２０】
【発明の実施の形態】
請求項１記載の発明は、回線の極性反転を検出し遅延させて出力する極性反転検出部と、極性反転検出部で極性反転を検出すると回線から送出されてくるノーリンギング呼出信号を検出するＮＲ着信検出部と、ＮＲ着信検出部で検出したノーリンギング呼出信号が自端末の呼出信号かどうかを判定するＮＲ着信判定部と、ＮＲ着信判定部で自端末の呼出信号と判定した場合に回線へ着信応答信号を返すＮＲ着信応答部と、回線から送出されるリンギング呼出信号の１６Ｈｚ鳴動信号を検出するリンギング検出部と、リンギング着信時の応答条件としてリンギング呼出信号の１６Ｈｚ鳴動信号回数や時間が設定されている着信条件設定部と、極性反転検出部の出力やＮＲ着信検出部の出力やＮＲ着信判定部での判定には影響を受けずに、リンギング検出部で検出されたリンギング呼出信号の１６Ｈｚ鳴動信号を監視し、着信条件設定部と比較して設定条件が成立したかどうかを並行して判定するリンギング着信判定部と、リンギング着信判定部で設定条件が成立したと判定されると着信応答信号を回線側に送出するリンギング着信応答部とすることにより呼出開始時に極性反転が発生しないで１６Ｈｚ鳴動信号が発生する回線に接続された場合でも、リンギング着信時には最初に１６Ｈｚ鳴動信号が発生すると、リンギング検出部でこの信号が検出され、リンギング着信判定部が判定を開始することができる。この時、極性反転は発生しないので、ＮＲ着信判定部は監視状態にならない。
【００２１】
また、呼出開始時に極性反転が発生が発生する回線に接続された場合では、リンギング着信時に極性反転が発生すると、まずリンギング検出部でこの極性反転信号も検出され、リンギング着信判定部が判定を開始する。そして極性反転検出部でも極性反転を検出するので、遅れてＮＲ着信判定部は監視状態に入るがノーリンギング呼出信号が来ないので、ノーリンギング着信は不成立と判断されるが、１６Ｈｚ鳴動信号は発生するのでリンギング着信の判定が続けられ、条件が成立するとリンギング通信の処理に移行する。
【００２２】
次に、ノーリンギング着信があった場合、最初に極性反転が起きると、回線電圧反転と同期してリンギング検出部から出力信号が出る。この信号を受けリンギング着信判定部は着信の判定を開始する。リンギング着信判定部が判定をしている最中に極性反転検出部から極性反転検出信号が遅れてＮＲ着信判定部へ入力される。ＮＲ着信判定部はノーリンギング呼出信号の監視に入る。
【００２３】
一方、リンギング着信判定部は、極性反転後は回線電圧は変化しないため、その後はリンギング検出部から検出信号が出力されないので監視を終了する。
【００２４】
極性反転に続いて回線からノーリンギング呼出信号が到来するので、ＮＲ着信検出部でこれを受信ＮＲ着信判定部で確認した後、ＮＲ着信応答部から応答信号を送信してノーリンギング通信へ移行させる。従って、リンギング着信判定部とＮＲ着信判定部は独立して並行に判定を行うことができ、最終的に成立した方の処理を実行することができる。すなわち特に設定を変更することなく、ノーリンギング着信もできるし、極性反転が発生しない回線でも極性反転が発生する回線に接続してもリンギング着信ができる。
【００２５】
請求項２に記載の発明は、特に、請求項１に記載の回線端末装置のリンギング着信判定部を通信終了から所定時間内に発生した１６ＨＺ鳴動信号を無効とすることにより通信終了時の回線電圧の変化を受けてリンギング検出部から出力される一時的な信号を無効にでき、むやみに無用なリンギング着信判定動作を行うことを防止することができる。
【００２６】
請求項３に記載の発明は、特に、請求項１に記載の回線端末装置のリンギング着信判定部を、１６Ｈｚ鳴動信号停止から所定時間１６Ｈｚ鳴動信号が来ないことを確認してからリンギング着信の判定処理を終了することにより呼出の終わりを確実に判定できることとなり、リンギング着信条件に一致しなかった呼出があった場合、この呼出が一旦終わるまで待ち、新規に始まる呼出から着信判定を始めることができる。
【００２７】
請求項４に記載の発明は、特に、請求項１に記載の回線端末装置のリンギング着信判定部を、所定条件に満たないリンギング検出部の信号は無効にすることにより、所定条件をノーリンギング着信時の緩極性反転で一時的に出力されるリンギング検出部の信号幅が無効となるような条件に設定すると、ノーリンギング着信時に発生するリンギング検出部からの出力は無効にでき、ノーリンギング着信時に無用なリンギング着信判定動作を継続するのを防止することができる。
【００２８】
請求項５に記載の発明は、極性反転検出部の出力遅延時間とノーリンギング着信判定時間よりも遅延させて、リンギング着信判定部の判定結果を出力する遅延出力部を請求項１に記載の回線端末装置に備えさせることにより、極性反転が発生すると極性反転検出部で極性反転検出後ノーリンギング着信判定を先に実行してからリンギング着信の判定を行うことができるので、リンギング呼出しを検出したら即リンギング着信成立という設定に着信条件設定部が設定されていた場合で、ノーリンギング通信され、ノーリンギング着信時の緩極性反転でリンギング着信判定が成立することがあっても、リンギング通信に入ることなく、ノーリンギング着信の処理を行いノーリンギング通信へ移行することができる。
【００２９】
【実施例】
以下、本発明の実施例について図面を参照しながら説明する。
【００３０】
（実施例１）
図１は、本発明の実施例１における回線端末装置のブロック構成図である。なお、図４、図６と同一番号のものは同一名称と同一機能を有する構成要素であり、その説明を省略する。図において、２７は着信条件設定部で、回線を補足する条件を設定して、リンギング検出部１６からの検出状態と比較される。この設定条件は１６ＨＺの鳴動信号の回数であったり、呼出と呼出の時間間隔であったり、呼出の回数等が条件として設定できる。３７はリンギング着信判定部で、極性反転検出部１０の出力やＮＲ着信検出部１１の出力やＮＲ着信判定部１２での判定には影響を受けずに、リンギング検出部１６で検出されたリンギング呼出信号の１６Ｈｚ鳴動信号を監視し、着信条件設定部２７と比較して設定条件が成立したかどうかを、ＮＲ着信の判定と並行して判定できるように構成されている。
【００３１】
逆に、極性反転検出部１０やＮＲ着信検出部１１やＮＲ着信判定部１２は、リンギング検出部１６の出力やリンギング着信判定部３７の判定には影響を受けずに、極性反転やノーリンギング呼出信号を監視し自端末の呼出かどうかをリンギング着信の判定と並行して判定できるように構成されている。
【００３２】
次に、以上のように構成された回線端末装置４１について、以下その動作、作用を説明する。この回線端末装置４１の着信条件設定部２７はあらかじめリンギング着信応答条件として１６ＨＺの鳴動信号の回数が着信応答回数として設定されているとする。まず、リンギング通信について説明すると、リンギング通信は中央監視装置５からの発信よって開始され、発信を受けた交換局４では回線端末装置４１が接続されている公衆回線３に対して極性反転に続いて３秒周期で１秒間１６ＨＺの電話機鳴動信号を重畳させたリンギング呼出信号を送出する。この鳴動信号により電話機６が鳴動する。
【００３３】
この時、従来例と同じく図５に示されるように回線端末装置４１のリンギング検出部１６の出力は最初の極性反転時の回線電圧の反転により一瞬リンギング信号検出状態を出力し、その後は１６Ｈｚの鳴動信号が発生するまでリンギング未検出状態を出力する。次に交換局４からは極性反転から２秒以内に１６Ｈｚの鳴動信号が発生するため、リンギング検出部１６は１６Ｈｚ周期で電圧が反転を繰り返してしている間、リンギング信号検出状態を出力する。
【００３４】
そして、リンギング着信判定部３７はリンギング着信の判定を行っている間に、極性反転検出部１０からの極性反転検出信号によりＮＲ着信判定部１２は判定処理を開始する。極性反転を検出したＮＲ着信判定部１２は交換局４からのノーリンギングの呼出信号であるＮＲＳ選択信号をＮＲ着信検出部１１で検出できるように網制御部１４をハイインピーダンスの状態にしてノーリンギング着信の判定を行う。しかしながら、交換局４からはリンギング呼出信号しか送出されないため、ＮＲ着信判定部１２は０．３５秒後にノーリンギング呼出信号未検出の判定してノーリンギング着信の監視を終了する。
【００３５】
一方、リンギング着信判定部３７は交換局４からは極性反転に続いて送出される１６Ｈｚ鳴動信号をリンギング検出部１６が検出すると着信発生回数をカウントをアップして、着信回数設定部２７で設定された着信応答条件に達したかどうかを判定する。
【００３６】
リンギング着信判定部３７で着信回数設定部２７の着信応答条件に達すると、中央制御部３０は網制御部１４を閉結状態にして公衆回線３及び交換局４と直流ループを形成して回線を捕捉する。
【００３７】
回線が捕捉されると交換局４はリンギング信号の送出を止め、中央監視装置５に対して回線が接続されたことを知らせる。
【００３８】
リンギング着信応答部１８は、回線端末装置４１が回線を捕捉したことを発信者（この場合は中央監視装置５）へ知らせるため、交換局４経由で中央監視装置５へ、着信応答信号を送信する。
【００３９】
着信の確認ができた中央監視装置５は、公衆回線３及び交換局４経由で回線端末装置４１に対してモデム信号形式の電文を送信する。
【００４０】
この電文は回線端末装置４１の送受信部１５で復調され中央制御部３０に受信される。
【００４１】
中央制御部３０は受信した電文が回線端末装置４１自身への電文の場合、応答電文を作成し、送受信部１５で変調してモデム信号形式で、中央監視装置５へ送信する。
【００４２】
また、受信した電文がデータ端末装置２への電文の場合、中央制御部３０はデータ端末装置２に適した形式に電文を変換して端末インターフェース部８を介して送信を行う。
【００４３】
データ端末装置２からの応答電文を端末インターフェース部８を介して中央制御部３０が受信すると、中央監視装置５に適した形式の電文に変換して送受信部１５で変調して中央監視装置５へ送信する。
【００４４】
以降、中央監視装置５と回線端末装置４１及びデータ端末装置２の間で電文の送受信を繰り返す。通信を終了する場合は、中央監視装置５は通信終了電文を回線端末装置４１へ送信する。
【００４５】
この通信終了電文を受信した中央制御部３０では通信終了応答電文を中央監視装置５へ送信した後、網制御部１４により直流ループを開放し交換局４に対して回線を切断して通信を終了する。
【００４６】
次に、ノーリンギング通信時の動作を説明する。ノーリンギング通信とリンギング通信の両方で運用できるようにするため、回線端末装置４１の着信設定回数部２７には、上記のリンギング通信時と同じ着信応答条件を設定した状態である。
【００４７】
この状態で中央監視装置５からの発信よってノーリンギング通信を開始すると、発信を受けた交換局４では回線端末装置４１が接続されている公衆回線３に対して極性反転により、回線端末装置４１に起動をかける。
【００４８】
この極性反転により回線端末装置４１のリンギング検出部１６では一瞬リンギング信号検出状態になるので、リンギング着信判定部３７はリンギング着信の監視に入り、続いてリンギング検出部１６の出力より遅れてくる極性反転検出部１０の出力を検出したＮＲ着信判定部１２はノーリンギング着信の監視に入る。
【００４９】
引き続き、交換局４からは、極性反転に続きノーリンギング呼出信号が送出される。網制御部１４はハイインピーダンスの状態で、このノーリンギング呼出信号がＮＲ着信検出部１１で検出されると、ＮＲ着信判定部１２ではあらかじめ設定されている自端末呼出信号データと一致するかどうかを判定し、一致するとその結果を中央制御部３０へ知らせる。
【００５０】
自端末呼出信号データと一致した場合、中央制御部３０は網制御部１４を半閉結状態にして公衆回線３及び交換局４と直流ループを形成し、ＮＲ着信応答部１３はノーリンギング着信に応答したことを交換局４へＤＴＭＦ信号の＃を送出して知らせる。
【００５１】
交換局４はこの着信応答信号（ＤＴＭＦ信号の＃）を受信すると、中央監視装置５へ回線端末装置４１に接続できたことを知らせる。
【００５２】
接続の確認ができた中央監視装置５は、公衆回線３及び交換局４経由で回線端末装置４１あるいはデータ端末装置２に対してモデム信号形式の電文を送信する。  この電文は回線端末装置４１の送受信部１５で復調され中央制御部３０に受信される。中央制御部３０は受信した電文が回線端末装置４１自身への電文の場合、応答電文を作成し、送受信部１５で変調してモデム信号形式で、中央監視装置５へ送信する。
【００５３】
また、受信した電文がデータ端末装置２への電文の場合、中央制御部３０はデータ端末装置２に適した形式に電文を変換して端末インターフェース部８を介して送信を行う。
【００５４】
データ端末装置２からの応答電文を端末インターフェース部８を介して中央制御部３０が受信すると、中央監視装置５に適した形式の電文に変換して送受信部１５で変調して中央監視装置５へ送信する。
【００５５】
以降、リンギング通信同様に中央監視装置５と回線端末装置４１及びデータ端末装置２の間で電文の送受信を繰り返して通信を終了する。
【００５６】
従って、リンギング通信で運用していた回線端末装置４１に対して、ノーリンギング通信を行う際、着信回数設定部２７の設定をリンギング着信しない状態に変更する必要がない。
【００５７】
逆に、ノーリンギング通信で運用していた回線端末装置４１の運用をリンギング通信に変える際に、着信回数設定部２７の設定をあらためて行う必要がない。つまりリンギング着信もノーリンギング着信もできる設定にして両方の通信ができる。
【００５８】
これまでは公衆回線３をアナログの公衆回線として説明したが、図２のように公衆回線がＩＳＤＮ回線４３の場合はＤＳＵ内蔵のターミナルアダプタ４４経由で回線端末装置４１が接続される。そして、このターミナルアダプタ４４は極性反転が発生しないアナログポートを備えている機種として、以降の動作説明を行う。なお、ＩＳＤＮ回線４３ではノーリンギングサービスはサポートされてないため、リンギング通信のみとなる。
【００５９】
まず、リンギング通信は中央監視装置５からの発信よって開始され、発信を受けた交換局４では回線端末装置４１が接続されている回線に対して呼出しを行う。この呼出し情報を受けたターミナルアダプタ４４からは３秒周期で１秒間１６Ｈｚの電話機鳴動信号を重畳させたリンギング呼出信号を送出する。この鳴動信号により電話機６が鳴動する。
【００６０】
この時、回線端末装置４１のリンギング検出部１６の出力は１６Ｈｚの鳴動信号が発生するまでリンギング未検出状態を出力する。１６Ｈｚの鳴動信号が発生すると、リンギング信号検出状態信号を出力する。
【００６１】
一方、極性反転検出部１０では極性反転検出信号は検出されないため、ＮＲ着信判定部１２は判定処理を行わない。そして、リンギング着信判定部３７はターミナルアダプタ４４はから送出される１６Ｈｚ鳴動信号をリンギング検出部１６が検出すると着信発生回数をカウントをアップして、着信回数設定部２７で設定された着信応答条件に達したかどうかを判定する。
【００６２】
リンギング着信判定部３７で着信回数設定部２７の着信応答条件に達すると、中央制御部３０は網制御部１４を閉結状態にしてターミナルアダプタ４４と直流ループを形成して回線を捕捉する。回線が捕捉されるとターミナルアダプタ４４は交換局４に知らせ、リンギング信号の送出を止める。
【００６３】
知らせを受けた交換局４は中央監視装置５に対して回線が接続されたことを知らせる。リンギング着信応答部１８は、回線端末装置４１が回線を捕捉したことを発信者（この場合は中央監視装置５）へ知らせるため、ターミナルアダプタ４４、ＩＳＤＮ回線４３、交換局４経由で中央監視装置５へ、着信応答信号を送信する。
【００６４】
着信の確認ができた中央監視装置５は、交換局４、ＩＳＤＮ回線４３、ターミナルアダプタ４４経由で回線端末装置４１に対してモデム信号形式の電文を送信する。この電文は回線端末装置４１の送受信部１５で復調され中央制御部３０に受信される。以降は同様に通信が行われる。
【００６５】
なお、通信終了時には通信終了電文を受信した中央制御部３０では通信終了応答電文を中央監視装置５へ送信した後、網制御部１４により直流ループを開放しターミナルアダプタ４４に対して回線を切断して通信を終了することになる。
【００６６】
このように需要家の公衆回線がアナログ回線でなくＩＳＤＮ回線でしかも極性反転が発生しないターミナルアダプタや、あるいはＰＢＸや特殊な通信用アダプタの間に接続されて極性反転が検出できない場合でも、回線端末装置４１は、ノーリンギング着信が可能な設定状態で、リンギング着信も可能である。
【００６７】
さらに、この回線端末装置４１を取り外して別のアナログ回線の需要家宅に接続したり、需要家が回線契約をＩＳＤＮ回線よりアナログ回線に切り換えた場合でも、特に回線端末装置４１の設定を変えることなく、そのまま回線に接続できノーリンギング通信もリンギング通信も可能である。
【００６８】
また、本実施例のリンギング着信判定部３７を通信終了から所定時間内、例えば１秒以内に発生した１６Ｈｚ鳴動信号を無効とするようにする。するとリンギング通信終了時、網制御部１４が閉結状態から開放状態になると、回線電圧は１秒足らずで反転復旧する。この回線電圧の変化を受けてリンギング検出部１６からは一時的に出力信号が出力される。
【００６９】
しかしながら、リンギング着信判定部３７では、この信号を無効とするので、通信直後の回線電圧の変化により無意味なリンギング着信の判定が始まるのを防止することができる。
【００７０】
また、本実施例のリンギング着信判定部３７を１６Ｈｚ鳴動信号停止から所定時間１６Ｈｚ鳴動信号が来ないことを確認してからリンギング着信の判定処理を終了するようにすると、着信条件設定部２７に呼出間隔が条件として設定された場合、着信が発生し呼出の間隔が条件不一致と判定した後も、この呼出が一旦終わるまで待つことができ、新規に始まる呼出からあらためて着信判定を始めることができるので、誤動作を防止できる。
【００７１】
また、本実施例のリンギング着信判定部３７を所定条件に満たないリンギング検出部の信号は無効にするようにすると、この所定条件をノーリンギング着信時の緩極性反転で一時的に出力されるリンギング検出部の信号幅が無効となるような条件に設定した場合、ノーリンギング着信時の緩極性反転で発生するリンギング検出部からの出力は無効にでき、むやみに無用なリンギング着信判定動作を並行して行うことを防止することができる。
【００７２】
従って、製品化する際には処理能力の高くないマイコン等の制御部品を搭載することができ、安価な装置を提供できる。また通信不要な動作状態に入ることを防止でき、各検出回路や判定回路を能動状態にすることがないので、消費電力の低い設計が可能になり、回線端末装置の電源が電池の場合は小型電池を搭載し省スペースで安価な装置が提供できる。
【００７３】
（実施例２）
図３は、本発明の実施例２の回線端末装置ブロック構成図である。図３において、３８は遅延出力部で、リンギング着信判定部３７の判定出力を極性反転検出部１０の出力遅延時間とＮＲ着信判定部１２のノーリンギング呼出し信号最大待ち時間の合計時間よりもさらに遅延させて条件成立の判定結果を出力するようになっている。ここでは極性反転が発生してから、極性反転検出部１０の極性反転検出からリンギング着信判定部３７での判定が終了するまでを０．４秒として、遅延出力部３８ではリンギング着信判定部３７の判定出力を０．５秒遅延させて出力するようにする。
【００７４】
以上のように構成された回線端末装置４２について以下動作、作用を説明する。回線端末装置４２の着信条件設定部２７には、リンギング呼出信号検出で即通信に入る設定がされた状態だとする。
【００７５】
まず、ノーリンギング着信の場合、ノーリンギング着信時の緩極性反転時にリンギング検出部１６からリンギング着信判定部３７に一時的に検出信号が出力されるとすぐに、リンギング着信判定部３７ではリンギング着信条件一致の判定結果を得る。
【００７６】
しかしながら、遅延出力部３８はリンギング着信応答部１８や中央制御部４０に対してすぐに判定結果を伝えず、０．５秒待つ。一方、極性反転発生からＮＲ着信判定部１２で０．４秒以内にノーリンギング着信成立の判定結果が出る。
【００７７】
それを受けたＮＲ着信応答部１３からは応答信号が送出されるとともに中央制御部４０はノーリンギング通信処理へと移行していく。従って、ノーリンギング着信の判定が終了してないにもかかわらず、リンギング着信判定部３７からすぐに判定結果が中央制御部４０に伝えられ、網制御部１４を閉結することで回線を補足してしまい、ノーリンギング着信を中断させてしまうようなことがなくなる。
【００７８】
次に、リンギング着信の場合では、極性反転時にリンギング検出部１６からリンギング着信判定部３７に一時的に信号が出力された場合、すぐに、リンギング着信判定部３７ではリンギング着信条件一致の判定結果を得る。しかしながら遅延出力部３８はリンギング着信応答部１８や中央制御部４０に対してすぐに判定結果を伝えず、０．５秒待つ。
【００７９】
一方、ＮＲ着信判定部１２で０．４秒以内にノーリンギング着信不成立の判定結果が出るので、ノーリンギング着信の監視はここで終了する。その後、遅延出力部３８からリンギング着信成立判定結果がリンギング着信応答部１８と中央制御部４０へ伝えられ、リンギング通信処理へと移行していく。
【００８０】
また、極性反転が発生しない回線に接続されている場合のリンギング着信では、極性反転は発生しないので、ＮＲ着信判定部１２での監視は行われずに、０．５秒遅れでリンギング着信処理が実行されることになる。
【００８１】
このように遅延出力部３８を備えることで、リンギング着信の着信条件がリンギング呼出し信号を検出したら即リンギング通信を行う設定になっていても、特に設定を変えることなくリンギング通信もできるし、ノーリンギング通信もできる。
【００８２】
【発明の効果】
以上のように本発明の回線端末装置によれば、特に回線端末装置の設定を変更することなく、極性反転が発生しない回線でも極性反転が発生する回線に接続してもリンギング着信ができるし、またリンギング着信ができる設定状態でノーリンギング着信もできるという効果がある。
【図面の簡単な説明】
【図１】本発明の実施例１における回線端末装置のブロック構成図
【図２】同装置のＩＳＤＮ回線への接続状態を示すブロック構成図
【図３】本発明の実施例２における回線端末装置のブロック構成図
【図４】従来の回線端末装置のブロック構成図
【図５】同装置の極性反転とリンギング呼出信号到来時の信号波形図
【図６】同装置の別のブロック構成図
【符号の説明】
２  データ端末装置
３  公衆回線
４  交換局
５  中央監視装置
６  電話機
８  端末インターフェース部
１０  極性反転検出部
１１  ＮＲ着信検出部
１２  ＮＲ着信判定部
１３  ＮＲ着信応答部
１４  網制御部
１５  送受信部
１６  リンギング検出部
１８  リンギング着信応答部
２７  着信条件設定部
３７  リンギング着信判定部
３０  中央制御部
【図１】
2004159131.tif 000003
【図２】
2004159131.tif 000004
【図３】
2004159131.tif 000005
【図４】
2004159131.tif 000006
【図５】
2004159131.tif 000007
【図６】
2004159131.tif 000008